Podtech/llm-jp-corpus-v4-ja_patent huggingface dataset:
(57)【要約】【課題】ステアリングホイール（ハンドル）のホーン機構でセンターパッド全体が可動するフローティングタイプにおいて、お礼の小さなホーンを鳴らしたいが、ハンドルに角度がついているときは最も容易に鳴らせる位置が瞬時にはわからず、小さなホーンを鳴らすにもたたく強さが難しく確実に小さなお礼のホーンを鳴らすのは難しかった。【解決手段】ステアリングホイール（ハンドル）のホーン機構でセンターパッド全体が可動するフローティングタイプにおいて、センターパッドを手で可動させてホーンを最も容易に鳴らせる位置へセンターパッドの色と異なる緩衝材または緩衝材の表面の一部または全部を異なる色にした緩衝材を固着させたことで、ハンドルの角度がついた状態でもたたきたい位置が瞬時にわかり、強くたたいても、対向車へのお礼の小さなホーンが確実に鳴らせるようになる。【選択図】図１
2019001288.tif 000002
【特許請求の範囲】
【請求項１】
ステアリングホイール（ハンドル）のホーン機構でセンターパッド全体が可動するフローティングタイプにおいて、センターパッドを手で可動させてホーンを最も容易に鳴らせる位置へセンターパッドの色と異なる緩衝材または緩衝材の表面の一部または全部を異なる色にした緩衝材を固着させたことを特徴とするステアリングホイール。
【発明の詳細な説明】
【技術分野】
【０００１】
本発明は、お礼の気持ちを表すために小さくホーンを鳴らすときのステアリングホイール（以下、ハンドルと表す）に取り付けられたセンターパッド全体が可動するフローティングタイプのホーンを鳴らすときに関する。
【背景技術】
【０００２】
従来のハンドルに取り付けられたフローティングタイプのホーンには容易に鳴らす位置を、各社ラッパの絵等で表示しているが、ハンドルに角度がついているときには、その位置がどこにあるのか瞬時にはわかりにくく、お礼に小さくホーンを鳴らすことが容易ではなかった。また、ホーンを軽くたたいて小さくホーンを鳴らすのも容易ではなかった。軽くたたきすぎるとホーンが鳴らないし、強くたたきすぎると大きなホーンになって相手に不快感を与えてしまう。後続車にお礼の気持ちを表すときはハザード／ダブルウインカーで行えるが、対向車へのお礼の気持ちを表すには手をあげるか、お辞儀をするか、小さなホーンを鳴らすしか方法がなく、車内が見えないときは小さなホーンを鳴らすしかなかった。
【先行技術文献】
【特許文献】
【０００３】
【特許文献１】実開平１−１７５９４０クラクション装置があるが、副クラクション用の新たな設備が必要であり、コストがかかるとともに市販の車に容易に運転者が加工することは難しい。
【特許文献２】実開平６−６０５３９車の補助（副）クラクションがあるが、副クラクション用の新たな設備が必要であり、コストがかかるとともに市販の車に容易に運転者が加工することは難しい。
【特許文献３】特開２００８−２０３６３車両警報を利用した意思伝達装置があるが、副クラクション用の新たな設備が必要であり、コストがかかるとともに市販の車に容易に運転者が加工することは難しい。
【非特許文献】
【０００４】
【非特許文献１】お礼の小さなホーンを鳴らす練習をして、対応することもできるが、ハンドルに角度がついているときは鳴らす位置を即座に探すことは難しい。
【発明の概要】
【発明が解決しようとする課題】
【０００５】
ハンドルのホーン機構でセンターパッド全体が可動するフローティングタイプにおいて、道を譲ってくれたり等のお礼の小さなホーンを鳴らしたいとき、ハンドルに角度がついているとホーンを容易に鳴らすための位置がわからなかったり、小さなお礼のホーンを鳴らすためにたたく強さが強かったり、弱かったりしてうまくいかないときがあった。
【課題を解決するための手段】
【０００６】
上記の課題を解決するため、ステアリングホイール（ハンドル）のホーン機構でセンターパッド全体が可動するフローティングタイプにおいて、センターパッドを手で可動させてホーンを最も容易に鳴らせる位置へセンターパッドの色と異なる緩衝材または緩衝材の表面の一部または全部を異なる色にした緩衝材を固着させたことを特徴とするステアリングホイールを提供する。色は目立つものがより良い。
【発明の効果】
【０００７】
お礼の小さなホーンを鳴らしたいとき、容易に鳴らせる位置に色の違う緩衝材が固着されているため、ハンドルの角度がついていても鳴らす位置が容易に瞬時に解り、また、緩衝材が固着されているので、強くたたいても小さなホーンになるため、確実にお礼の小さなホーンが鳴らせる。
【図面の簡単な説明】
【０００８】
【図１】フローティングタイプのホーン機構が取り付けられたハンドルに本発明の緩衝材とラベルを固着した時の実施例の正面図
【発明を実施するための形態】
【０００９】
図面を参照して本発明の実施の形態を説明する。図１は本発明の実施例を表している。フローティングタイプのホーン機構の最も容易にホーンを鳴らせる位置に手でたたくときに手からはみ出さない程度の大きさの緩衝材３を接着または貼り付けて固着させ、フローティングタイプのホーン機構のセンターパッドの色と違う目立ちやすい色のラベル４を固着させるとよい。ラベルの代わりに塗装することもできる。ホーン機構のセンターパッドの色と違う目立ちやすい色の緩衝材３を固着すれば、ラベル４は不要となる。緩衝材３の形状は目的を達成できればアクセサリーも考慮した自在な形状にもできる。緩衝材は紙、布、ゴム、発泡スチロール、気泡緩衝材、エアー緩衝材、綿、ゲル化剤、ダンボール等から選択できる。緩衝材は耐候性、繰り返し圧縮耐久性があるものがよい。
【実施例】
【００１０】
緩衝材としてはＮＲスポンジゴムの厚みが５ｍｍのものを７０ｍｍの円形にカットして貼り付ける面に両面テープを全面に貼り付け、ラッパの絵が刻印されている位置でセンターパッドの中央で最も下方に両面テープで固着させた。緩衝材が黒色であるため、目立たせるために、ニチバン（株）のマイタックラベル黄色２５ｍｍ×３８ｍｍを緩衝材の表面に貼り付け固着させた。運転中ハンドルに角度がついた状態でもたたきたい位置が瞬時に良くわかること、また、強くたたいても小さいホーンが鳴らせ、お礼の気持ちが伝えられることを確認した。
【産業上の利用可能性】
【００１１】
お礼の気持ちを表す小さなホーンを容易に確実に鳴らす方法として緩衝材が市販されれば、コストを掛けずに容易に、運転者でも緩衝材を固着できるため、車同士の暖かい気分のよいコミュニケーションが広まり、広く利用される可能性大である。
【符号の説明】
【００１２】
１    ステアリングｂホイール（ハンドル）
２    フローティングタイプホーン機構
３    緩衝材
４    ラベル
【図１】
2019001288.tif 000003
(57)【要約】      （修正有）【課題】２つに分割したマットレスを提供する。【解決手段】従来のマットレスの長さだけを５：５から８：２ぐらいの間でバランスよく２つに分割して小さいサイズにする事で、引っ越しなどの作業がスムーズになる。又、それぞれを独立したマットレスにして、縦にならべて使用する事で、腰への負担をかるくする、マットレスである。【選択図】図２
2019193760.tif 000002
【特許請求の範囲】
【請求項１】
引っ越しなどの作業がスムーズに行えるよう、従来のコイルスプリング方式のベット用マットレス図１、をその大きさに応じて、長さだけを５：５から８：２ぐらいの間でバランスよく２つに分割した、マットレス。
【請求項２】
前記マットレスを、図２、１、２と縦にならべて使用する事で腰への負担をかるくする、マットレス。
【発明の詳細な説明】
【技術分野】
【０００１】本発明はコイルスプリング方式のベッド用マットレスに関するものである。
【背景技術】
【０００２】（イ）従来のコイルスプリング方式のベッド用マットレス（以下マットレスと言う）は一体型で長さが、平均で２ｍ前後と長く、非常に大きいものである。
（ロ）長さが、平均で２ｍ前後と長いため、人が寝た時に半円状の沈み込みがおこりやすい。
【発明の開示】
【発明が解決しようとする課題】
【０００３】（イ）従来のマットレス図１、は非常に大きいため引っ越しなどの作業が、困難な場合がある。
（ロ）平均で、２ｍ前後の長さの一体型マットレス図１、であるため、人が寝ると半円状の沈み込みがおこり、腰を痛めやすい。
【課題を解決するため手段】
【０００４】シングルサイズやダブルサイズなどマットレスの大きさに応じて、５：５から８：２ぐらいの間で、長さだけをバランスよく２つに分割して、それぞれを独立したマットレス図２、にする。
【発明の効果】
【０００５】（イ）従来のマットレス図１、を５：５から８：２ぐらいの間で長さだけを２つに分割して小さいサイズ図２、にする事で引っ越しなどの作業がスムーズになる。
（ロ）従来のマットレス図１、は長さが平均で２ｍ前後と長いため半円状の沈み込みが大きく、腰を痛める事が多かったが、本発明のマットレス図２、はそれぞれの長さが短くなっているため、半円状の沈み込みを小さくする事ができる。又、２つに分かれて独立している事により、人が寝た時に体重がそれぞれに、分散されて、さらに腰への負担をかるくする事ができる。
【発明を実施するための最良の形態】
【０００６】マットレスの横幅などに応じて、従来のマットレス図１、の長さを５：５から８：２ぐらいの間でバランスよく、２つに分割して、それぞれを独立したマットレス図２、にする。
【図面の簡単な説明】
【０００７】
【図１】従来のコイルスプリング方式の一体型マットレスである。
【図２】本発明の全視図である。
【図３】本発明の左、側図面である。
【符号の説明】
【０００８】１  マットレスの上部
２  マットレスの下部
【図１】
2019193760.tif 000003
【図２】
2019193760.tif 000004
【図３】
2019193760.tif 000005
(57)【要約】      （修正有）【課題】プランターの使用済みの土を消毒し再生する容器を提供する。【解決手段】濃厚色の蓋付き容器を用いて容器の側面下部に栓３によって開閉できる孔２と上部が開け閉めできる蓋４を設けたプランター用土の再生容器１。【選択図】図１
2019193608.tif 000002
【特許請求の範囲】
【請求項１】
濃厚色の蓋付き容器を用いて、容器の側面下部に栓付き孔を設けたプランター用土の再生容器。
【発明の詳細な説明】
【技術分野】
【０００１】  この発明は、プランターで植物に使用された古い土を再利用するための容器である。
【背景技術】
【０００２】  従来、特にマンションや団地等では、植物を植える容器であるプランターに培養土を入れて草花や野菜を栽培していたが、プランターで使われた古い土は、破棄して新しい培養土を購入するか、熱を吸収しやすい黒いビニール袋に入れ長期間放置して熱消毒してから再利用していた。
【先行技術文献】
【０００３】
【特許文献１】登録実用新案第３０５３５９６号公報
【発明の概要】
【発明が解決しようとする課題】
【０００４】  これは、次のような問題点があった。
プランターで使用された土を廃棄する場合、土は重くかさ張るためマンション等での搬出は大変な作業であった。また使用された土を廃棄して新しく草花等を植えたい場合、新たに培養土を購入しなければならないが、土の搬入も経済的にも負担がかかった。さらに各家庭から処分場に集められた土は大量となり、処分場でも大変困っていた。しかし、使用したプランターの土を再利用するため、黒いビニール袋に使用済みの土を入れ直射日光のあたる庭に長期間放置して太陽熱で消毒する方法は、内部の土の温度が正確に測りにくい事と庭の美観を損ねていた。
特許文献１で示される植物培養土再生装置は、上部開口部に異物除去の網部があるため、再利用容器内で消毒した土に土壌改良材等を混ぜるのは手間がかかった。また、この再生装置の側面下部開口部は土を取り出すための開口部であるため大きく開き土がこぼれる構造となっていて、土の温度を測定するための温度計の挿入口としては適切ではなかった。
本発明は、これらの問題点を解決するためになされたものである。
【課題を解決するための手段】
【０００５】  濃厚色の蓋付き容器の側面下部に栓付き孔を設けた、使用済みの土を再生する容器である。
以上を特徴とするプランター用土の再生容器である。
【発明の効果】
【０００６】  本発明においては側面下部の孔２は土を取り出すための開口部ではなく、水抜きや温度計を挿入することを目的としているので、土を取り出す開口部と比較して非常に小さく温度計を挿入するのに適している。また、孔の方式の方がコック方式より水抜き時に目詰まりが起こりにくく、温度計の挿入も可能である。【０００７】  本発明の再生容器内の温度を測定する方法は、容器の側面下部の栓３を抜いて孔２に温度計６を挿入して測定する。測定の時に温度が逃げにくいし土もこぼれにくく、また土の層の下部に温度計が挿入できる。
本発明により、プランターの使用済み土を太陽熱もしくは熱水による消毒が手軽に実施することができる。また、再生容器の本体７の上部には障害物がないため、消毒済みの土に堆肥や土壌改良材等を混ぜる作業も簡単に行うことができる。
【図面の簡単な説明】
【０００８】
【図１】本発明の斜視図である。
【図２】本発明の部分断面図である。
【図３】本発明使用例の分解図である。
【発明を実施するための形態】
【０００９】    以下、本発明の実施の形態を図１〜図３に基づいて説明する。
図１に示すように、濃厚色の蓋付き容器を用いて容器の側面下部に栓３によって開閉できる孔２と上部が開け閉めできる蓋４を設けたプランター用土の再生容器１である。
図２は使用済みの土５を再生容器に入れ蓋４を閉めた時の部分断面図である。
図３は栓３を抜いて孔２を開けて温度計６を孔２に入れて、蓋４を本体７にかぶせる状態を示す。
【００１０】  プランターで使用された土は、まず茎、葉、根や虫などの不純物を取り除く。その後、土をフルイにかけるか手で土の塊を崩しながら本発明の再生容器１に入れる。
なおプランターとは植物用の植え込み容器で、形状は鉢型や箱型などがある。
【００１１】  消毒には二つの方法がある。一つ目は、太陽熱で消毒する方法である。奈良県農業技術センターの「熱を利用した土壌消毒」によると、ビニールハウスを密閉して土壌を４５度前後の比較的低い温度を長期間（１４〜２０日）持続させて消毒するとある。そこで本発明でも、再生容器１に不純物を取り除いた使用済み土５を入れ、万遍なく熱が伝わるように土５を軽く水で湿らせ、孔２に栓３を挿入し蓋４をして直射日光に置く。本発明の再生容器１は太陽光を吸収し易い濃厚色であるので効率よく熱を吸収し、容器壁から内部の土５に伝わる。適当な時期に栓３を抜いて温度計６を孔２に挿入し、土の内部温度が４５度前後であることを確認しながら、１４〜２０日間直射日光下に放置する。
【００１２】  二つ目は、熱水で消毒する方法である。神奈川県農業技術センターの「熱水土壌消毒法について」によると、熱水土壌消毒法は１９８０年代に開発された我が国のオリジナル技術である。その原理は熱水が持つ湿熱によって土壌害虫を死滅させるという極めて単純なもので、ボイラーや送湯チューブ等で農地の土壌に熱水をまき消毒する。この時、５５度以上が重要な土壌病原菌の死滅温度であることから、この温度を重要な指標としている。また、独立行政法人農業・生物系特定産業技術研究機構の「熱水土壌消毒の効果と課題」でも、通常の土壌病原菌の場合５５度以上の温度が数時間持続すれば死滅するため、最下層の地温を５５度として熱水の注入量を決めている。そこで本発明でも、再生容器１に不純物を取り除いた使用済みの土５を入れ、栓３を抜いて再生容器の孔２に温度計６を挿入し５５度以上なるまで熱水を土に注入する。この時の温度計の温度は、容器に入れた土の下層の温度である。５５度以上に達したら、温度計６を抜いて栓３を挿入して孔２を閉じ、冷めた時に栓３を抜いて孔２を開けて水を抜く。
【００１３】  消毒が終わった土には植物が育つための栄養分が不足しているため、堆肥、培養土あるいは土壌改良剤等を入れスコップで混ぜ合わせて植物に使用する。本体７の上部には障害物がないため、簡単に混ぜ合わせることができる。
【００１４】  本発明は、農地やビニールハウスで使用されている太陽熱利用法や熱水土壌消毒法の原理を応用して、マンション等の住人がプランターで使用された土を再利用するためのものである。太陽熱利用法や熱水土壌消毒法では土の中の温度が重要となっていることから、本発明でも土の中の温度を簡単に正確に測定できる孔を設けたことを特徴としている。
さらに、黒いビニール袋にくらべて庭においても美観を壊さない構造である。
また、本発明は使用済みの土を再利用できるので経済的で、処分場にも負担をかけないため環境にもやさしい。
【符号の説明】
【００１５】    １  再生容器
２  孔
３  栓
４  蓋
５  使用済みの土
６  温度計
７  本体
【図１】
2019193608.tif 000003
【図２】
2019193608.tif 000004
【図３】
2019193608.tif 000005
(57)【要約】      （修正有）【課題】従来に対して部品数を削減し且つ保護材の充填箇所の位置決めを可能とする超音波センサを提供する。【解決手段】超音波センサはベース板１と、ベース板１上に固定された圧電素子２と、ベース板１の外周部を覆う被覆部３１、及び、当該被覆部３１の径方向に対して垂直な方向に設ける。被覆部３１の一部には径方向に凸部３３が形成されて、圧電素子２に対向した枠部３２を有するパッキン３とを備える。【選択図】図１
2019193106.tif 000002
【特許請求の範囲】
【請求項１】
ベース板と、
前記ベース板上に固定された圧電素子と、
前記ベース板の外周部を覆う被覆部、及び、当該被覆部の径方向に対して垂直な方向に設けられ、前記圧電素子に対向した枠部を有するパッキンと
を備えた超音波センサ。
【請求項２】
前記枠部の内部に充填された保護材を備えた
ことを特徴とする請求項１記載の超音波センサ。
【発明の詳細な説明】
【技術分野】
【０００１】
この発明は、圧電素子を備えた超音波センサに関する。
【背景技術】
【０００２】
圧電素子を備えた超音波センサでは、環境の影響により圧電素子が劣化する可能性がある。そのため、圧電素子は、周囲が保護材により充填される必要がある。この際、保護材の塗布量を一定とするための枠を用いている。例えば特許文献１では、ケースを用いて保護材の塗布量を一定としている。
【先行技術文献】
【特許文献】
【０００３】
【特許文献１】特開２０１７−５５６４号公報
【発明の概要】
【発明が解決しようとする課題】
【０００４】
しかしながら、保護材の充填のために枠又はケースを別途用いると、超音波センサの部品数が増えてしまう。また、この枠又はケースの位置決めはないため、保護材の充填箇所が偏るおそれがある。
【０００５】
この発明は、上記のような課題を解決するためになされたもので、従来に対して部品数を削減し且つ保護材の充填箇所の位置決めが可能な超音波センサを提供することを目的としている。
【課題を解決するための手段】
【０００６】
この発明に係る超音波センサは、ベース板と、ベース板上に固定された圧電素子と、ベース板の外周部を覆う被覆部、及び、当該被覆部の径方向に対して垂直な方向に設けられ、圧電素子に対向した枠部を有するパッキンとを備えたことを特徴とする。
【発明の効果】
【０００７】
この発明によれば、上記のように構成したので、従来に対して部品数を削減でき、且つ保護材の充填箇所の位置決めが可能となる。
【図面の簡単な説明】
【０００８】
【図１】図１Ａ〜図１Ｃは、この発明の実施の形態１に係る超音波センサの構成例を示す図であり、図１Ａは斜視図であり、図１Ｂは上面図であり、図１Ｃは側面図である。
【図２】図１Ｂに示すＡ−Ａ線断面図である。
【発明を実施するための形態】
【０００９】
以下、この発明の実施の形態について図面を参照しながら詳細に説明する。
実施の形態１．
図１，２はこの発明の実施の形態１に係る超音波センサの構成例を示す図である。なお図１，２では、保護材が充填される前の状態を示している。
超音波センサは、図１，２に示すように、ベース板１、圧電素子２及びパッキン３を備えている。
【００１０】
ベース板１は、図１，２では円盤状に構成されている。
圧電素子２は、ベース板１上の既定箇所（図１，２では中心位置）に、接着剤等により固定されている。
【００１１】
パッキン３は、ガスシールを行うための部材である。このパッキン３は、図１，２に示すように、ベース板１の外周部を覆う被覆部３１と、被覆部３１の径方向に対して垂直な方向に設けられ、圧電素子２に対向した枠部３２とを有している。枠部３２は、作業員により圧電素子２の周囲に保護材が充填される際の枠となる部位である。図１，２では、被覆部３１は円周状に構成され、枠部３２は円筒状に構成されている。また、被覆部３１の一部には径方向に凸部３３が形成されている。
【００１２】
このパッキン３は、作業員により、被覆部３１がベース板１の外周部を覆い且つ枠部３２が圧電素子２に対向するように、ベース板１に取付けられる。この際、パッキン３の枠部３２は、被覆部３１と一体に構成されているため、枠部３２は一意に位置決めされる。その後、枠部３２の内部には、作業員により、保護材が一定量充填される。これにより、圧電素子２は、周囲が保護材により保護される。
【００１３】
以上のように、この実施の形態１によれば、超音波センサは、ベース板１と、ベース板１上に固定された圧電素子２と、ベース板１の外周部を覆う被覆部３１、及び、当該被覆部３１の径方向に対して垂直な方向に設けられ、圧電素子２に対向した枠部３２を有するパッキン３とを備えた。このように、実施の形態１に係る超音波センサでは、パッキン３の一部に枠の機能を持たせているため、従来に対して部品数を削減し且つ保護材の充填箇所の位置決めが可能となる。
【００１４】
なお、本願発明はその発明の範囲内において、実施の形態の任意の構成要素の変形、もしくは実施の形態の任意の構成要素の省略が可能である。
【符号の説明】
【００１５】
１  ベース板
２  圧電素子
３  パッキン
３１  被覆部
３２  枠部
３３  凸部
【図１】
2019193106.tif 000003
【図２】
2019193106.tif 000004
(57)【要約】【課題】屋外から室内に運び入れるときに汚れを床や収納場所等に付着するのを防ぐのを提供すること。【解決手段】本発明は、長尺シートに形状記憶合金が含まれていて、小型軽量でキャスター部車輪に簡単に巻き付くことができる。【選択図】図２
2019116258.tif 000002
【特許請求の範囲】
【請求項１】
キャスター部の車輪に巻き付き移動可能なことを特徴としたキャスター部車輪カバー。
【請求項２】
紙または高分子材料少なくともいずれかを素材とする長尺シートに形状記憶合金が少なくとも１本含まれていて巻き付くことが特徴のキャスター部車輪カバー。
【発明の詳細な説明】
【技術分野】
【０００１】本発明は、キャスター部の車輪に外部から付着した汚れを室内に持ち込まない方法に関するものである。
【背景技術】
【０００２】従来は、汚れをふき取るか、キャスターの車輪そのものを保護していたが、前者は清掃具が必要となり、後者は車輪の回転ができなくなりキャスター本来の機能が損なわれる。【０００３】普及するには扱いが簡単にかつ安価が求められる。【０００４】例えば特許文献１は、キャスター部の車輪上を移動可能なカバーを付設したもので構造が複雑化するだけでなく車輪が回転しなくてキャスターとしての機能が損なわれる。
【先行技術文献】
【特許文献】
【０００５】
【特許文献１】特開２００３−７０５１９公報
【発明の概要】
【発明が解決しようとする課題】
【０００６】本発明は、キャスター部の車輪に簡単に巻き付けることができることを目的にするものである。
【課題を解決するための手段】
【０００７】本発明は、長尺シート中央に形状記憶合金が含まれていて簡単に巻き付くことが可能となる。
【発明の効果】
【０００８】本発明のカバーは、小型軽量でキャスター部車輪に簡単に巻き付くことができ、床や収納場所等に汚れを付着させない。【０００９】また、安価に製造することが可能となり、経済的効果を乗じることになる。
【図面の簡単な説明】
【００１０】
【図１】本発明の装着状況図である。
【図２】本発明の形状図である。
【発明を実施するための形態】
【００１１】以下、本発明の実施の形態を図に基づいて説明するが、以下の説明において同一の機能を有する部位については同一の符号を付け、図面の記載は本発明の実施の形態を説明するための概要図であって記載された図面に限定されるものではない。
【００１２】図１は、本発明品の使用前の形状で、（Ａ）は側面図、（Ｂ）は平面図である。
【００１３】ベース部１に両面テープ２を貼り、形状記憶合金３を置き、両端に切れ目のある保護部４で包みこむ。
【００１４】図２は、本発明品の係る実施例を示す。キャスター部車輪５に図１の本発明品を○状に成形することにより、に簡単に巻き付くことを可能にした。
【符号の説明】
【００１５】１    ベース部
２    両面テープ
３    形状記憶合金
４    保護部
５    キャスター部車輪
６    キャスター部車輪カバー
【図１】
2019116258.tif 000003
【図２】
2019116258.tif 000004
(57)【要約】【課題】冬季におけるトラックの燃料タンクキャップの凍結と夏季における油漏れを防止する。【解決手段】四季を問わず装着しやすく凍結を防止するカバー等は冬季における鍵穴の水の混入を防ぎ給油時の時間短縮にもなります。古くなった燃料タンクキャップの油漏れとキャップの落下防止にも連がります。キャップをカバーするゴム等の製品が必要であると思います。トラックの車両の機種により燃料タンクは大まかに３種類に分類されその内訳は１００Ｌ、２００Ｌ，３００Ｌ、４００Ｌ等です。そして、その容量に応じた燃料タンクカバーが必要であると思います。【特許請求の範囲】
【請求項１】
トラックの燃料タンクキャップの凍結と油漏れを防止する加工品。
【請求項２】
加工品の物質はゴム、ポリエステル、ナイロン等であります。
【請求項３】
サイズには種類があり大、中、小の３種類です。
【発明の詳細な説明】
【技術分野】凍結と油漏れ、キャップの緩みを未然に防ぐことができます。
【背景技術】冬季の燃料タンクのキャップは雪とみぞれで凍結するため鍵穴が凍り解氷スプレー、湯等で解し，且つゴムハンマーで連打するなどしてキャップを回しています。この作業には時間を要しトレイラー等の運行に差し支えます。給油時１度セットしたカードオートレジスターが元に戻り最初時の操作に戻ってしまいます．また夏季には古い車両の燃料タンクのキャップは緩み振動するたびに油漏れが発生しています。燃料タンクにはシミがこびり付いています。これらの現象を未然に防止するものが必要であるとおもいます。
【発明の概要】
【発明が解決しようとする課題】トラックの給油がスムーズに行われ油漏れがない様に求められています。
【発明が解決するための手段】
燃料タンクの種類により、サイズにあったゴム製品等のカバーの装着が，必要です。2019116257.tif 000002
トラックの燃料キャップの形状１ゴムによるキャップの必要性      １、  凍結      ２、  油漏れ      ３、  キャップをカバー２ゴムキャップカバーのサイズは大、中、小です。３取り外しの簡単なゴム等によるキャップです。冬季の現状  燃料キャップに付着した氷と雪を除去するには時間と労力が必要になります。  これを解決には薄くて吸着力のあるゴム等の製品が必要です。図１です。
【図１】
2019116257.tif 000003
【図２】
2019116257.tif 000004
【手続補正書】
【提出日】平成30年2月9日(2018.2.9)
【手続補正２】
【補正対象書類名】明細書
【補正対象項目名】全文
【補正方法】変更
【補正の内容】
【発明の詳細な説明】
【技術分野】凍結と油漏れ、キャップの緩みを未然に防ぐことができます。
【背景技術】冬季の燃料タンクのキャップは雪とみぞれで凍結するため鍵穴が凍り解氷スプレー、湯等で解し，且つゴムハンマーで連打するなどしてキャップを回しています。
この作業には時間を要しトレイラー等の運行に差し支えます。
給油時１度セットしたカードオートレジスターが元に戻り最初時の操作に戻ってしまいます．また夏季には古い車両の燃料タンクのキャップは緩み振動するたびに油漏れが発生しています。
燃料タンクにはシミがこびり付いています。
これらの現象を未然に防止するものが必要であるとおもいます。
【発明の概要】
【発明が解決しようとする課題】トラックの給油がスムーズに行われ油漏れがない様に求められています。
【発明が解決するための手段】
燃料タンクの種類により、サイズにあったゴム製品等のカバーの装着が，必要です。
2019116257.tif 000005
トラックの燃料キャップの形状
１ゴムによるキャップの必要性
１、  凍結
２、  油漏れ
３、  キャップをカバー
２ゴムキャップカバーのサイズは大、中、小です。
３取り外しの簡単なゴム等によるキャップです。
冬季の現状
燃料キャップに付着した氷と雪を除去するには時間と労力が必要になります。
これを解決には薄くて吸着力のあるゴム等の製品が必要です。図１です。
【図面の簡単な説明】
【図１】
2019116257.tif 000006
【図２】燃料タンクのキャップの断面図  トラックの燃料タンク真横からみた図です。
(57)【要約】      （修正有）【課題】鍵の頭部分を右手親指で挟む感触により、玄関ドアの鍵が施錠・解錠できる鍵の正しい持ち方を事前に確認できる親ゆび認識鍵を提供する。【解決手段】平鍵１の頭表面２の片面に親指型窪み３を設け、そこに豆粒程度の大きさの半円球状突起４の目印を設け、右手で平鍵１を挟み持ち、半円球状突起４が親指に触れる持ち方をすることによって、前もって施錠・解錠できることを認識した場合にのみ、玄関ドアを施錠・解錠出来る構成とした。【選択図】図１
2019116814.tif 000002
【特許請求の範囲】
【請求項１】
キーヘッド（鍵の頭）部分の片面を親指の形にくぼませることを特徴とする鍵
【請求項２】
施錠・解錠する際に、必ず右手親指が鍵の頭部分の半円球状等の目印に触れることを特徴とする鍵
【請求項３】
鍵の頭部分の片面に凹凸のギザギザを有することを特徴とする鍵
【請求項４】
請求項１・２・３が併存することを特徴とする鍵
【発明の詳細な説明】
【技術分野】
【０００１】本発明は玄関鍵や自動二輪車のエンジンキーに関するものである。
【背景技術】
【０００２】従来の玄関ドアの鍵は視力の弱い人にとっては、どちらが表か裏かが見分けにくく、鍵を玄関ドアの鍵穴に差し込んで初めて正しく施錠・解錠出来ることがわかり、しばしば鍵が作動せず入れなおすことがあった。
また、夜、外出から帰宅した人が、暗い玄関口で正しい鍵の頭部分を持ち間違え、しばしば鍵の頭部分の持ち方を変えることがあった。
【発明が解決しようとする課題】
【０００３】通常、玄関ドアの鍵や自動二輪車のエンジンキーの大半は平鍵であった。
この平鍵のキーヘッドは、ぱっと見ただけでは、どちらが表でどちらが裏かはわかりづらかった。特に夜間、通勤から帰宅した人や視力の弱い人には問題であった。適当に鍵を鍵穴に差し込んで、はじめて施錠・解錠が出来るかどうかがわかるという問題があった。
本発明はキーヘッドを右手の親指で触れるだけで、事前に施錠・解錠を認識できるようにするものである。自動二輪車のエンジンキーも同様である。
【課題を解決するための手段】
【０００４】従来、玄関ドアの鍵の頭は、正しく施錠・解錠できる持ち方を決めて、初めて玄関ドアの鍵の開け閉めが出来る。
しかし、夜間や視力の弱い人にとっては、鍵の頭の表裏が判断しづらく、正しい施錠・解錠が出来るかどうか、鍵をキーシリンダーに差し込むまでわからなかった。
それ故、施錠・解錠出来ない鍵の頭の持ち方を防ぐため、鍵の頭（２）を掴むときに必ず右手親指が突起物（４）に触れる持ち方をする場合にのみ、玄関ドアを施錠・解錠出来るように鍵を設計する。
同時に鍵の頭の片面に親指型のくぼみ（３）を作り、鍵をキーシリンダーに差し込む前に、鍵を施錠・解錠出来るかどうか認識できるようになる。
自動二輪車のエンジンキーについても、同様に鍵の頭の片面に親指型のくぼみを作り、鍵をキーシリンダーに差し込む前に、エンジンがかかる鍵の頭の持ち方が容易に確認できるようになる。
【発明を実施するための形態】
【０００５】以下、本発明を実施するための形態について説明する。
まず鍵の頭部分（２）に親指の形をしたくぼみ（３）を作り、そこに豆粒程度の大きさの半円球状突起の目印（４）を設け、それを右手親指で触れることで、前もって施錠・解錠できることを認識できる。
【発明の効果】
【０００６】本発明の鍵の頭の形状により、玄関ドアの鍵が施錠・解錠できるかどうか、本発明の鍵の頭部分に親指が触れることで事前に認識できる。
これにより、目の不自由な人や視力の弱い人、また、夜間に疲れて帰宅した人などが、玄関ドアの鍵をまごまごすることなくスムーズに開けることが可能となる。
また、朝の忙しいときなど施錠がスムーズとなりイライラが軽減され、仕事や勉強にすがすがしい気持ちで取りかかることが出来る。
更に、右手親指が鍵の頭の突起にあたる感触で、施錠・解錠できる事を確認でき、鍵の頭の持ち方を認識できるので、夜間玄関ドアの鍵の解錠に便利である。
また、目の不自由な人や視力の弱い人も鍵の頭を持った瞬間に、施錠・解錠ができるかどうか認識できるため、スムーズに鍵を解錠できるため便利である。
夜間、暗がりなどで自動二輪車のエンジンを始動させるエンジンキーも、玄関キー同様に親指の形にくぼみをつけたり、突起をつける事により、親指の感触でエンジンキーに鍵を差し込むことが容易になり、エンジンがかかることが認識できる。これによりイライラを軽減でき、安全運転の助けになる。
【図面の簡単な説明】
【０００７】
【図１】本発明の鍵の斜視図である
【図２】本発明の鍵の断面図である
【図３】本発明の鍵の表面の平面図である
【図４】本発明の鍵の裏面の平面図である
【符号の説明】
【０００８】１  平鍵
２  鍵の頭表面
３  親指型窪み
４  半円球状突起
５  表面の凹凸のギザギザ
６  小型半円球状突起
７  鍵の頭裏面
８  差し込み溝
【図１】
2019116814.tif 000003
【図２】
2019116814.tif 000004
【図３】
2019116814.tif 000005
【図４】
2019116814.tif 000006
(57)【要約】      （修正有）【課題】正確に指圧壷を押すことができるシャツを提供する。【解決手段】シャツ１に指圧マッサージ壷２をわかりやすくプリント表示し、指圧を施術される人に着せ表示位置通りに指を添え押すことにより、正確に指圧壷を押すことができる。【選択図】図１
2019134910.tif 000002
【特許請求の範囲】
【請求項１】
指圧マッサージ壷表示のシャツ
【発明の詳細な説明】
【技術分野】
【０００１】この発明は、指圧マッサージ壷表示のシャツに関する。
【背景技術】
【０００２】従来指圧マッサージ壷表示は，図や写真、文章解説によるものである。
【先行技術文献】
【非特許文献】
【０００３】
【非特許文献１】一目でわかる！必ず見つかる！ほんとのツボがちゃんとおせる本：アマゾン通販・インターネット、高橋書店  加藤雅俊著
【発明の概要】
【発明が解決しようとする課題】
【０００４】しかしながら、以上の技術によれば、指圧マッサージ壷を学ぼうとする者は図や写真、文章解説をたよりにマッサージする対象の身体とを照合しながら壷位置を探り当てなければならなかった。そこで、この発明は、シャツを利用しこれに指圧マッサージ壷をわかりやすく表示することを課題とする。
【課題を解決するための手段】
【０００５】以上の課題を解決するために、本発明はシャツにほぼ正確に指圧壷位置をプリント表示する。
【発明の効果】
【０００６】本発明によれば、シャツに指圧壷位置をプリント表示することで、図や写真、文章解説をたよりに壷位置を探らなくても壷位置がプリント表示されたシャツの上から指圧することにより正確に指圧壷を押すことができる。
【図面の簡単な説明】
【０００７】
【図１】この発明の一実施形態を示す斜視図である。
【発明を実施するための形態】
【０００８】この発明の一実施形態を、図１に示す。
シャツに指圧壷をプリント表示する。
【０００９】「実施形態の効果」
この実施形態によれば、シャツに指圧壷がプリント表示されているため指圧を施術される人にこのシャツを着せ表示位置通りに指を添え押すことにより、正確に指圧壷を押すことができる。
【００１０】「他の実施形態」
図１の実施形態では、仰向け上半身半袖のシャツに指圧壷をプリント表示したものであるが、長袖のシャツで腕の壷も表示してもよい。
【００１１】図１の実施形態では仰向けのシャツに指圧壷をプリント表示したものであるがうつ伏せのシャツで背中側や側面の指圧壷もプリント表示してもよい。
【００１２】図１の実施形態では上半身のシャツに指圧壷をプリント表示したものであるが下半身のズボン下に指圧壷をプリント表示してもよい。
【００１３】図１の実施形態では上半身のシャツに指圧壷をプリント表示したものであるが全身タイツに上半身全部と下半身全部の指圧壷をプリント表示してもよい。
【００１４】図１の実施形態では上半身のシャツに指圧壷をプリント表示したものであるが、シャツに限らず帽子に指圧壷をプリント表示してもよい。
【００１５】図１の実施形態では上半身のシャツに指圧壷をプリント表示したものであるが、シャツに限らずジャージやウインドブレーカー等の上着にプリント表示してもよい
【００１６】図１の実施形態ではシャツに指圧壷をプリント表示したものであるが、針灸壷をプリント表示してもよい。
【００１７】図１の実施形態では１枚のシャツに指圧壷をプリント表示したものであるが、医学療法士の教材用として筋肉の図や写真をプリント表示してもよく１枚のシャツだけでなく表面上層筋肉部を一枚、中層筋肉部を一枚、深層筋肉部を１枚とシャツを複数に分けプリント表示してもよい。
【００１８】図１の実施形態では１枚のシャツに指圧壷をプリント表示したものであるが、  解剖学の教材用として内臓や骨格の図や写真をプリント表示してもよく１枚のシャツだけではなく表面上層部から見たもの、中層部から見たもの、深層部から見たものとシャツを複数に分けプリント表示してもよい。
【００１９】図１の実施形態では人間のシャツに指圧壷をプリント表示したものであるが、犬、猫、馬、牛などの家畜の壷についても、同様にプリント表示してもよい。
【符号の説明】
【００２０】１、指圧壷をプリント表示のシャツ  ２、壷位置表示の一例
【図１】
2019134910.tif 000003
(57)【要約】      （修正有）【課題】密閉性を高めるスピーカーボックスのジョイント構造を提供する。【解決手段】スピーカーボックスにおける第１の板材１１と第２の板材１２を接合するジョイント構造１０であって、第１の板材１１には第２の板材１２との接合部分に溝１１ａが形成されており、第２の板材１２は粉体又は流動体を固化する事で形成され、粉体粒体又は流動体が第１の板材１１の溝１１ａに流入され、固化することで溝を広げる方向に圧力をかけている。【選択図】図２
2019134395.tif 000002
【特許請求の範囲】
【請求項１】
スピーカーボックスにおける第１の板材と第２の板材を接合するジョイント構造であって、第１の板材には第２の板材との接合部分に溝が形成されており、第２の板材は粉体粒体又は流動体を固化する事で形成され、粉体粒体又は流動体が第１の板材の溝に流入され、固化することで溝を広げる方向に圧力をかけているジョイント構造。
【発明の詳細な説明】
【技術分野】
【０００１】スピーカーボックスにおけるジョイント構造に関する。
【背景技術】
【０００２】特許文献１には、箱状の木箱１と、前記木箱１の前面開口を覆うように前記木箱１の欠取り部１ｅに嵌合して取り付けられる樹脂成型品からなる成型前面パネル２とからなるスピーカーボックスが開示されている。
【先行技術文献】
【特許文献】
【０００３】
【特許文献１】特開平０７−０６７１９４号公報
【発明の概要】
【発明の解決しようとする課題】
【０００４】しかしながら、特許文献１のスピーカーボックスは、木箱の欠取り部に樹脂成形品を挿入するため、木箱と樹脂成形品との間にわずかなスキ間があり、スピーカーボックスとしての一体性を損ない、結果として発生される音質が低下してしまうという問題があった。
本発明は、スピーカーボックスとしての一体性を向上することで、密閉性を高めるスピーカーボックスにおけるジョイント構造を提供することを目的とする。
【課題を解決するための手段】
【０００５】スピーカーボックスにおける第１の板材と第２の板材を接合するジョイント構造であって、第１の板材には第２の板材との接合部分に溝が形成されており、第２の板材は粉体粒体又は流動体を固化する事で形成され、粉体粒体又は流動体が第１の板材の溝に流入され、固化することで溝を広げる方向に圧力をかけているジョイント構造。
【発明の効果】
【０００６】本発明によれば、スピーカーボックスとしての一体性を高めるスピーカーボックスにおけるジョイント構造を提供することができる。
【図面の簡単な説明】
【０００７】
【図１】本発明の実施形態に係るスピーカーボックスの斜視図
【図２】本発明の実施形態に係るスピーカーボックスの断面図である。
【図３】本発明の実施形態に係る第１の板と第２の板とを接合する手順を説明する図である。
【図４】本発明の実施形態に係る第１の板と第２の板とを接合する手順を説明する図である。
【発明を実施するための形態】
【０００８】スピーカーボックス１における第１の板材１１と第２の板材１２を接合するジョイント構造１０であって、第１の板材１１には第２の板材１２との接合部分に溝１１ａが形成されており、第２の板材１２は粉体粒体又は流動体を固化する事で形成され、粉体粒体又は流動体が第１の板材１１の溝１１ａに流入され、固化することで溝を広げる方向に圧力をかけているジョイント構造１０。
【０００９】第１の板材１１は、溝１１ａが形成できれば、木材以外の材料も使用でき、接着剤での接着が難しい材料の固定ができる。
【００１０】第２の板材１２は、コンクリート、モルタル、ホワイトセメントを混ぜた真砂土、消石灰と真砂土を
2019134395.tif 000003
【００１１】スピーカーボックス１は四角以外の形状で形成してもよい。
【００１２】図３に示すように、第１の板材１１と第２の板材１２とは、次の手段で接合される。
第１の板材１１に溝１１ａを形成し、この溝１１ａに合せて型枠５０を設置し（図３（ａ）の状態）、固化することで、第２の板材１２となる。粉体粒体又は流動体を溝１１ａ内部に圧力がかかるように流しこむ（図３（ｂ）に示す状態）。固化した後、型枠５０をはずす（図３（ｃ）に示す状態）。
【００１３】また、型枠を外すのが困難な場合には、図４に示すように、下側に型枠５０を設置し、重力を用いて、溝１１ａに圧力を加える事で（図４（ａ）に示す状態）、固化した後、一方向からのみ
2019134395.tif 000004
【００１４】この形状にする事により、第１の板１１と第２の板１２の結合部分の密着性を高める事が出来、スピーカーの密封性、ボックスの一体感を強化させる事で、スピーカーユニットのエネルギーの
2019134395.tif 000005
【００１５】従来の木材同士のジョイント構造では、隙間が生じない様に、溝に合った板材を作成する事は困難であるが、本発明は、確実に溝を埋めることが可能である。
【符合の説明】
１      スピーカーボックス
１０    ジョイント構造
１１    第１の板材
１１ａ  溝
１２    第２の板材
５０    型枠
【図１】
2019134395.tif 000006
【図２】
2019134395.tif 000007
【図３】
2019134395.tif 000008
【図４】
2019134395.tif 000009